(57)【特許請求の範囲】
【請求項１】
波長多重された光信号を増幅する多波長光アンプの自動レベル一定制御を行う多波長光アンプの制御装置において、
量子効率の波長特性を異ならせ前記多波長光アンプ出力を検出する一対の光検出手段と、
前記一対の光検出手段の検出レベルに基づいて、一部の波長のみの断または変動を検出する一部波長変動検出手段と、
前記一部波長変動検出手段で一部の波長のみの断または変動が検出されたとき前記自動レベル一定制御を停止させる停止手段とを
有することを特徴とする多波長光アンプの制御装置。
【請求項２】
請求項１記載の多波長光アンプの制御装置において、
前記一部波長変動検出手段は、前記一対の光検出手段の検出レベルの変動量の比により、一部の波長のみの断または変動を検出することを特徴とする多波長光アンプの制御装置。
【請求項３】
請求項２記載の多波長光アンプの制御装置において、
前記一部波長変動検出手段は、前記一対の光検出手段の検出レベルの変動量のうちいずれか一方が０で、他方が０でないとき一部の波長のみの断または変動とみなすことを特徴とする多波長光アンプの制御装置。
【請求項４】
請求項２または３のいずれか記載の多波長光アンプの制御装置において、
前記自動レベル一定制御は、前記一対の光検出手段の検出レベルの変動量のうちいずれか一方を用いて行うことを特徴とする多波長光アンプの制御装置。
【請求項５】
請求項２乃至４のいずれか記載の多波長光アンプの制御装置において、
前記自動レベル一定制御は、前記一対の光検出手段の検出レベルのうちいずれか一方を用いて行うことを特徴とする多波長光アンプの制御装置。
【請求項６】
請求項１記載の多波長光アンプの制御装置において、
前記一部波長変動検出手段は、前記一対の光検出手段の検出レベルの差により、一部の波長のみの断または変動を検出することを特徴とする多波長光アンプの制御装置。
【請求項７】
請求項５または６のいずれか記載の多波長光アンプの制御装置において、
前記一部波長変動検出手段で一部の波長のみの断または変動が所定期間持続して検出されたとき前記自動レベル一定制御の目標値を変更して前記自動レベル一定制御を再開する目標値変更手段を
有することを特徴とする多波長光アンプの制御装置。
【請求項８】
請求項１乃至７のいずれか記載の多波長光アンプの制御装置において、
前記一部波長変動検出手段は、前記一対の光検出手段の検出レベルに基づいて、各波長のパワーが均一でない状態を検出し警報を発することを特徴とする多波長光アンプの制御装置。
【請求項９】
波長多重された光信号を増幅する多波長光アンプの自動レベル一定制御を行う多波長光アンプの制御方法において、
量子効率の波長特性を異ならせた一対の光検出手段で前記多波長光アンプ出力を検出し、
前記一対の光検出手段の検出レベルに基づいて、一部の波長のみの断または変動を検出し、
前記一部の波長のみの断または変動が検出されたとき前記自動レベル一定制御を停止させる
ことを特徴とする多波長光アンプの制御方法。
【請求項１０】
請求項９記載の多波長光アンプの制御方法において、
前記前記一対の光検出手段の検出レベルの変動量の比により、一部の波長のみの断または変動を検出することを特徴とする多波長光アンプの制御方法。
【請求項１１】
請求項１０記載の多波長光アンプの制御方法において、
前記一対の光検出手段の検出レベルの変動量のうちいずれか一方が０で、他方が０でないとき一部の波長のみの断または変動とみなすことを特徴とする多波長光アンプの制御方法。
【請求項１２】
請求項１０または１１のいずれか記載の多波長光アンプの制御方法において、
前記自動レベル一定制御は、前記一対の光検出手段の検出レベルの変動量のうちいずれか一方を用いて行うことを特徴とする多波長光アンプの制御方法。
【請求項１３】
請求項１０乃至１２のいずれか記載の多波長光アンプの制御方法において、
前記自動レベル一定制御は、前記一対の光検出手段の検出レベルのうちいずれか一方を用いて行うことを特徴とする多波長光アンプの制御方法。
【請求項１４】
請求項９記載の多波長光アンプの制御方法において、
前記一対の光検出手段の検出レベルの差により、一部の波長のみの断または変動を検出することを特徴とする多波長光アンプの制御方法。
【請求項１５】
請求項１３または１４のいずれか記載の多波長光アンプの制御方法において、
前記一部の波長のみの断または変動が所定期間持続して検出されたとき前記自動レベル一定制御の目標値を変更して前記自動レベル一定制御を再開することを特徴とする多波長光アンプの制御方法。
【請求項１６】
請求項９乃至１５のいずれか記載の多波長光アンプの制御方法において、
前記一対の光検出手段の検出レベルに基づいて、各波長のパワーが均一でない状態を検出し警報を発することを特徴とする多波長光アンプの制御方法。
【発明の詳細な説明】
【０００１】
【発明の属する技術分野】
本発明は多波長光アンプの制御方法及びその装置に関し、特に、多波長光アンプの光出力パワーレベルを一定に制御する多波長光アンプの制御方法及びその装置に関する。
【０００２】
【従来の技術】
光アンプにおけるＡＬＣ制御（自動レベル一定制御）は、出力パワーレベルを一定にするように利得を調整することである。このＡＬＣ制御を行う目的は、光アンプの入力パワーが変動した場合においても光アンプ通過後は、光パワーを一定にすることになるため、下流の受信局でのパワー変動に伴うエラーを防止できることにある。また、伝送距離の異なる中継区間での伝送損失の差があって入力パワーに差が生じても、光アンプ中継器の出力を一定にするように制御できる。
【０００３】
しかし、このようなＡＬＣ制御は、ＷＤＭ（波長多重）伝送において、多波長の信号を一括増幅する場合においては、以下のような問題点をもつ。ＡＬＣ制御は、出力パワーをモニタにより監視し、そのパワーを一定に保つが、このとき多波長アンプだと各波長毎に波長モニターを設け、どの各波長毎にパワーをモニタする必要がある。しかし、波長の多重数が多くなると、このモニタは波長多重数分だけ用意する必要があり、コストがかかり経済性に乏しい。
【０００４】
図１は従来の多波長光アンプ制御装置の一例のブロック図を示す。同図中、光アンプ１０には波長多重された光信号が供給される。光アンプ１０はＡＬＣ制御回路１２から供給される制御信号に応じて利得を可変して波長多重された光信号を増幅して出力するか、または、波長多重された光信号を一定の利得で増幅し、減衰量を上記制御信号に応じて可変する可変減衰器（可変ＡＴＴ）を通して出力することにより、出力する波長多重された光信号のレベルを一定に保つ。ＡＬＣ制御回路１２は光分配器１４で分波された光アンプ１０の出力光信号の光パワーをモニタして、この光パワーを一定とするような制御信号を生成している。
【０００５】
これだけでは、波長多重された光信号のうちのある波長が断になった場合に光アンプ１０が応答して、断となった波長を除いた残りの波長のパワーを過大増幅するので、ある波長の断により他の波長で信号エラーが発生しかねない。そこで、波長多重された光信号のうちのある波長の断や変動は、光アンプ１０の前段の波長多重送信部から出力する監視制御信号により、光アンプ１０及びそれより下流の各光アンプに通知し、ＡＬＣ制御の目標出力値を変更することで他の波長の出力パワーを一定に保つようにしている。
【０００６】
【発明が解決しようとする課題】
しかしながら、従来のように、監視制御信号を用いてある波長の断や変動を各光アンプに通知し目標出力値を変更する方法では、監視制御言号が断になった場合、ある主信号の波長が断、もしくは変動したときにＡＬＣ制御動作が機能するため、他の波長において信号エラーを起こすおそれがあるという問題があった。
【０００７】
また、監視制御信号を各光中継器にて終端しながら、下流に通知していくことにより生じる遅延時間のために、ＡＬＣ制御がある波長の断や変動に応答するまでの応答速度を充分長くする必要がある。このため、中継段数が多くなると監視制御言号が最後の光中継器または受信装置まで到達する速度より速い応答速度でＡＬＣ制御を動作させることができないという問題があった。
【０００８】
このため、速い応答速度でのＡＬＣ制御を行いたい場合や、監視制御信号の断に係わらず安全な運用を行いたい場合は、各中継器に高価ではあるが、波長多重された光信号の各波長をモニタするスペクトルアナライザをもつ必要が生じる。この場合、スペクトルアナライザの測定結果により、ゲインエコライザを制御して各波長のパワーを整えてやるといったことができる。しかしスペクトルアナライザを各光中継器に備え付けることは著しく不経済である。
【０００９】
本発明は、上記の点に鑑みなされたもので、一部の波長が断または変動している場合に光アンプの利得または減衰量を固定して他の波長において信号エラーを起こすことを防止でき、簡単な回路構成で実現でき、ＡＬＣ制御の応答速度を遅らせる必要がない多波長光アンプの制御方法及びその装置を提供することを目的とする。
【００１０】
【課題を解決するための手段】
請求項１に記載の発明は、波長多重された光信号を増幅する多波長光アンプの自動レベル一定制御を行う多波長光アンプの制御装置において、
量子効率の波長特性を異ならせ前記多波長光アンプ出力を検出する一対の光検出手段と、
前記一対の光検出手段の検出レベルに基づいて、一部の波長のみの断または変動を検出する一部波長変動検出手段と、
前記一部波長変動検出手段で一部の波長のみの断または変動が検出されたとき前記自動レベル一定制御を停止させる停止手段とを有する。
【００１１】
これによって、一部の波長が断または変動している場合に光アンプの利得または減衰量を固定して、他の波長において信号エラーを起こすことを防止でき、スペクトルアナライザを必要とせず簡単な回路構成で実現でき、ＡＬＣ制御の応答速度を遅らせる必要がない。
請求項２に記載の発明は、請求項１記載の多波長光アンプの制御装置において、
前記一部波長変動検出手段は、前記一対の光検出手段の検出レベルの変動量の比により、一部の波長のみの断または変動を検出する。
【００１２】
これにより、一部の波長のみの断または変動を検出することができる。
請求項３に記載の発明は、請求項２記載の多波長光アンプの制御装置において、
前記一部波長変動検出手段は、前記一対の光検出手段の検出レベルの変動量のうちいずれか一方が０で、他方が０でないとき一部の波長のみの断または変動とみなす。
【００１３】
これにより、一対の光検出手段の検出レベルの変動量のうちいずれか一方が０のとき一部の波長のみの断または変動を検出することができる。
請求項４に記載の発明は、請求項２または３のいずれか記載の多波長光アンプの制御装置において、
前記自動レベル一定制御は、前記一対の光検出手段の検出レベルの変動量のうちいずれか一方を用いて行う。
【００１４】
これにより、自動レベル一定制御を行うことができる。
請求項５に記載の発明は、請求項２乃至４のいずれか記載の多波長光アンプの制御装置において、
前記自動レベル一定制御は、前記一対の光検出手段の検出レベルのうちいずれか一方を用いて行う。
【００１５】
これにより、自動レベル一定制御を行うことができる。
請求項６に記載の発明は、請求項１記載の多波長光アンプの制御装置において、
前記一部波長変動検出手段は、前記一対の光検出手段の検出レベルの差により、一部の波長のみの断または変動を検出する。
【００１６】
これにより、一部の波長のみの断または変動を検出することができる。
請求項７に記載の発明は、請求項５または６のいずれか記載の多波長光アンプの制御装置において、
前記一部波長変動検出手段で一部の波長のみの断または変動が所定期間持続して検出されたとき前記自動レベル一定制御の目標値を変更して前記自動レベル一定制御を再開する目標値変更手段を有する。
【００１７】
これにより、一部の波長のみの断または変動が所定期間持続して検出されたとき自動レベル一定制御を再開することができる。
請求項８に記載の発明は、請求項１乃至７のいずれか記載の多波長光アンプの制御装置において、
前記一部波長変動検出手段は、前記一対の光検出手段の検出レベルに基づいて、各波長のパワーが均一でない状態を検出し警報を発する。
【００１８】
これにより、各波長のパワーが均一でなく自動レベル一定制御を行えないとき警報を発することができる。
請求項９に記載の発明は、波長多重された光信号を増幅する多波長光アンプの自動レベル一定制御を行う多波長光アンプの制御方法において、
量子効率の波長特性を異ならせた一対の光検出手段で前記多波長光アンプ出力を検出し、
前記一対の光検出手段の検出レベルに基づいて、一部の波長のみの断または変動を検出し、
前記一部の波長のみの断または変動が検出されたとき前記自動レベル一定制御を停止させる。
【００１９】
これによって、一部の波長が断または変動している場合に光アンプの利得または減衰量を固定して、他の波長において信号エラーを起こすことを防止でき、スペクトルアナライザを必要とせず簡単な回路構成で実現でき、ＡＬＣ制御の応答速度を遅らせる必要がない。
請求項１０に記載の発明は、請求項９記載の多波長光アンプの制御方法において、
前記前記一対の光検出手段の検出レベルの変動量の比により、一部の波長のみの断または変動を検出する。
【００２０】
これにより、一部の波長のみの断または変動を検出することができる。
請求項１１に記載の発明は、請求項１０記載の多波長光アンプの制御方法において、
前記一対の光検出手段の検出レベルの変動量のうちいずれか一方が０で、他方が０でないとき一部の波長のみの断または変動とみなす。
【００２１】
これにより、一対の光検出手段の検出レベルの変動量のうちいずれか一方が０のとき一部の波長のみの断または変動を検出することができる。
請求項１２に記載の発明は、請求項１０または１１のいずれか記載の多波長光アンプの制御方法において、
前記自動レベル一定制御は、前記一対の光検出手段の検出レベルの変動量のうちいずれか一方を用いて行う。
【００２２】
これにより、自動レベル一定制御を行うことができる。
請求項１３に記載の発明は、請求項１０乃至１２のいずれか記載の多波長光アンプの制御方法において、
前記自動レベル一定制御は、前記一対の光検出手段の検出レベルのうちいずれか一方を用いて行う。
【００２３】
これにより、自動レベル一定制御を行うことができる。
請求項１４に記載の発明は、請求項９記載の多波長光アンプの制御方法において、
前記一対の光検出手段の検出レベルの差により、一部の波長のみの断または変動を検出する。
【００２４】
これにより、一部の波長のみの断または変動を検出することができる。
請求項１５に記載の発明は、請求項１３または１４のいずれか記載の多波長光アンプの制御方法において、
前記一部の波長のみの断または変動が所定期間持続して検出されたとき前記自動レベル一定制御の目標値を変更して前記自動レベル一定制御を再開する。
【００２５】
これにより、一部の波長のみの断または変動が所定期間持続して検出されたとき自動レベル一定制御を再開することができる。
請求項１６に記載の発明は、請求項９乃至１５のいずれか記載の多波長光アンプの制御方法において、
前記一対の光検出手段の検出レベルに基づいて、各波長のパワーが均一でない状態を検出し警報を発する。
【００２６】
これにより、各波長のパワーが均一でなく自動レベル一定制御を行えないとき警報を発することができる。
【００２７】
【発明の実施の形態】
図２は、本発明の原理を説明するための図を示す。同図中、波長多重された光信号が光分配器２０に供給され、ここで二分岐された波長多重光信号がゲインイコライザ（ＧＥＱ）２２ａ，２２ｂに供給される。ゲインイコライザ２２ａで波長が大なるほど光パワーが大となるよう波長依存性を持たせた波長多重光信号はホトダイオード（ＰＤ）２４ａで光電変換され出力される。また、ゲインイコライザ２２ｂで波長が大なるほど光パワーが小となるよう波長依存性を持たせた波長多重光信号はホトダイオード２４ｂで光電変換され出力される。なお、ゲインイコライザ２２ａ，２２ｂは、所定の波長特性を持つ光フィルタ等で構成される。
【００２８】
ここで、光分配器２０において、各波長λ１，λ２，λ３，λ４が均一なパワーで受信されている場合に、各ホトダイオード２４ａ，２４ｂにおいて観測される光パワー（即ち、受光レベル）Ｐａ，Ｐｂは、以下のように表される。
Ｐａ＝ηａ（λ１）Ｐ＋ηａ（λ２）Ｐ＋ηａ（λ３）Ｐ＋ηａ（λ４）Ｐ…（１）
Ｐｂ＝ηｂ（λ１）Ｐ＋ηｂ（λ２）Ｐ＋ηｂ（λ３）Ｐ＋ηｂ（λ４）Ｐ…（２）
ここで、ηａ（λｋ）≠ηｂ（λｋ）  （但しｋは１，２，３，４）となるように、ホトダイオード２４ａ，２４ｂを含めたゲインイコライザ２２ａ，２２ｂそれぞれの量子効率の波長特性ηａ，ηｂが決められている。その一例を図３（Ａ），（Ｂ）に実線Ｉａ，Ｉｂで示す。
【００２９】
このとき、波長λ１のみδＰだけ変化した場合の各ホトダイオード２４ａ，２４ｂにおいて観測されるパワーＰａ’，Ｐｂ’は、次のようになる。
0003583309.tif 000002
つまり、ηａ（λ１）≠ηｂ（λ１）であるため、各ホトダイオード２４ａ，２４ｂにおいて観測されるパワーＰａ’，Ｐｂ’は必ず異なる変動を示すことになる。これによって、（Ｐａ−Ｐａ’）／（Ｐｂ−Ｐｂ’）が変化する。
【００３０】
また、たとえば波長λ４が断になった場合、各ホトダイオード２４ａ，２４ｂにおいて観測されるパワーＰａ’，Ｐｂ’は、以下のようになる。
Ｐａ’＝ηａ（λ１）Ｐ＋ηａ（λ２）Ｐ＋ηａ（λ３）Ｐ
Ｐｂ’＝ηｂ（λ１）Ｐ＋ηｂ（λ２）Ｐ＋ηｂ（λ３）Ｐ
つまり、ηａ（λ４）Ｐ≠ηｂ（λ４）Ｐであるため、（Ｐａ−Ｐａ’）／（Ｐｂ−Ｐｂ’）が、変化する。
【００３１】
一方、全波長が一斉に変動し、Ｐ’になった場合
0003583309.tif 000003
となるので、（Ｐａ−Ｐａ’）／（Ｐｂ−Ｐｂ’）は一定となる。
【００３２】
このことから、全波長の変動と、ある波長の変動を２つのホトダイオードのみで区別することが可能である。この変化量をもとにＡＬＣ制御動作を行えばよい。
図４は本発明の多波長光アンプ制御装置の第１実施例のブロック図を示す。同図中、光アンプ３０には波長多重された光信号が供給される。光アンプ３０は利得制御回路３２から供給される制御信号に応じて利得を可変して波長多重された光信号を増幅して出力するか、または、波長多重された光信号を一定の利得で増幅し、減衰量を上記制御信号に応じて可変する可変減衰器を通して出力することにより、出力する波長多重された光信号のレベルを一定に保つ。
【００３３】
光分配器３４は光アンプ３０の出力する光信号を分波してゲインイコライザ（ＧＥＱ）３６ａ，３６ｂに供給する。ゲインイコライザ３６ａ，３６ｂそれぞれは、図３（Ａ），（Ｂ）に実線Ｉａ，Ｉｂで示す量子効率の波長特性を有しており、ゲインイコライザ３６ａ，３６ｂを通った波長多重光信号はホトダイオード（ＰＤ）３８ａ，３８ｂに供給され、光電変換される。
【００３４】
サンプリング回路４０ａ，４０ｂそれぞれは、ホトダイオード３８ａ，３８ｂの出力信号Ｐａ，Ｐｂをサンプリングして変動値算出回路４２ａ，４２ｂに供給し、ここで、今回のサンプリング値Ｐａ，Ｐｂと、前回のサンプリング値Ｐａ’，Ｐｂ’との変動値（Ｐａ−Ｐａ’），（Ｐｂ−Ｐｂ’）が算出される。変動値（Ｐａ−Ｐａ’）は利得制御回路３２及び除算回路４４それぞれに供給され、変動値（Ｐｂ−Ｐｂ’）は除算回路４４に供給される。
【００３５】
除算回路４４は供給される変動値（Ｐａ−Ｐａ’），（Ｐｂ−Ｐｂ’）の除算を行って比（Ｐａ−Ｐａ’）／（Ｐｂ−Ｐｂ’）を変動値算出回路４６に供給する。変動値算出回路４６は、今回の比の値と、前回の比の値との変動値を算出して、この比の変動値が略０であれば、全波長が一斉に変動しているため前値保持信号の出力を停止し、この比の変動値の絶対値が所定値以上であれば、波長多重光信号の一部の波長が断または変動しているため、値１の前値保持信号を出力する。この前値保持信号は利得制御回路３２に供給される。
【００３６】
利得制御回路３２はサンプリング回路４０ａのサンプリング周期で変動値（Ｐａ−Ｐａ’）を供給され、この変動値（Ｐａ−Ｐａ’）が０になるように光アンプ３０の利得または減衰量を制御する値を持つ制御信号を生成するが、上記値１の前値保持信号が供給されると制御信号の値を前回の値に保持する。
これによって、波長多重光信号の一部の波長が断または変動している場合には、光アンプ３０の利得または減衰量が固定され、他の波長において信号エラーを起こすことが防止される。このために、スペクトルアナライザを必要とせず、簡単な回路構成で実現できる。また、監視制御信号を使用しないため、ＡＬＣ制御の応答速度を遅らせる必要がなくなる。
【００３７】
図５は本発明の多波長光アンプ制御装置を適用した多波長光伝送システムの構成図を示す。同図中、光端局装置５０内の光合成器５２は、複数の電光変換器（ＥＯ）５４から供給される異なる波長の光信号を合成して波長多重光信号を出力する。この波長多重光信号はＡＬＣ制御光アンプ５６で増幅された後、光ファイバー５８に送出され、光ファイバー５８を通して光中継器６０のＡＬＣ制御光アンプ６２に供給される。このＡＬＣ制御光アンプ６２で増幅された波長多重光信号は光ファイバー６４を通して光端局装置６６に供給され、ＡＬＣ制御光アンプ６８で増幅された後、分波器７０において波長分離され、各波長の光信号が複数の光電変換器（ＯＥ）７２で電気信号に変換されて出力される。上記のＡＬＣ制御光アンプ５６，６２，７２として、図４に示すような本発明の多波長光アンプ制御装置が用いられる。
【００３８】
図６は本発明の多波長光アンプ制御装置の第２実施例のブロック図を示す。同図中、図４と同一部分には同一符号を付す。図６において、光アンプ３０には波長多重された光信号が供給される。光アンプ３０は利得制御回路３２から供給される制御信号に応じて利得を可変して波長多重された光信号を増幅して出力するか、または、波長多重された光信号を一定の利得で増幅し、減衰量を上記制御信号に応じて可変する可変減衰器を通して出力することにより、出力する波長多重された光信号のレベルを一定に保つ。
【００３９】
光分配器３４は光アンプ３０の出力する光信号を分波してゲインイコライザ（ＧＥＱ）３６ａ，３６ｂに供給する。ゲインイコライザ３６ａ，３６ｂそれぞれは、図３（Ａ），（Ｂ）に実線Ｉａ，Ｉｂで示す量子効率の波長特性を有しており、ゲインイコライザ３６ａ，３６ｂを通った波長多重光信号はホトダイオード（ＰＤ）３８ａ，３８ｂに供給され、光電変換される。
【００４０】
サンプリング回路４０ａ，４０ｂそれぞれは、ホトダイオード３８ａ，３８ｂの出力信号Ｐａ，Ｐｂをサンプリングして変動値算出回路４２ａ，４２ｂに供給し、ここで、今回のサンプリング値Ｐａ，Ｐｂと、前回のサンプリング値Ｐａ’，Ｐｂ’との変動値（Ｐａ−Ｐａ’），（Ｐｂ−Ｐｂ’）が算出される。変動値（Ｐａ−Ｐａ’）は利得制御回路３２及び除算回路４４それぞれに供給され、変動値（Ｐｂ−Ｐｂ’）は除算回路４４に供給される。
【００４１】
除算回路４４は供給される変動値（Ｐａ−Ｐａ’），（Ｐｂ−Ｐｂ’）の除算を行って比（Ｐａ−Ｐａ’）／（Ｐｂ−Ｐｂ’）を変動値算出回路４６に供給する。変動値算出回路４６は、今回の比の値と、前回の比の値との変動値を算出して、この比の変動値が略０であれば、全波長が一斉に変動しているため前値保持信号の出力を停止し、この比の変動値の絶対値が所定値以上であれば、波長多重光信号の一部の波長が断または変動しているため、値１の前値保持信号を出力する。この前値保持信号は、ＯＲゲート７８を通して利得制御回路３２に供給される。
【００４２】
０以外検出回路８０は変動値算出回路４２ａの出力する変動値が０以外のとき、これを検出して値１の検出信号を生成し、０検出回路８２は変動値算出回路４２ｂの出力する変動値が０のとき、これを検出して値１の検出信号を生成する。０以外検出回路８０及び０検出回路８２の検出信号はＡＮＤゲート８４でＡＮＤ演算されてＯＲゲート８６に供給される。
【００４３】
また、０検出回路９０は変動値算出回路４２ａの出力する変動値が０のとき、これを検出して値１の検出信号を生成し、０以外検出回路９２は変動値算出回路４２ｂの出力する変動値が０以外のとき、これを検出して値１の検出信号を生成する。０検出回路９０及び０以外検出回路９２の検出信号はＡＮＤゲート９４でＡＮＤ演算されてＯＲゲート８６に供給される。
【００４４】
これによって、ＯＲゲート８６は、変動値（Ｐａ−Ｐａ’），（Ｐｂ−Ｐｂ’）のいずれか一方が０のとき、他方が変化（０以外）した場合にも、比（Ｐａ−Ｐａ’）／（Ｐｂ−Ｐｂ’）が変化したとみなして値１の前値保持信号を生成する。この前値保持信号は、ＯＲゲート７８を通して利得制御回路３２に供給される。
【００４５】
利得制御回路３２はサンプリング回路４０ａのサンプリング周期で変動値（Ｐａ−Ｐａ’）を供給され、この変動値（Ｐａ−Ｐａ’）が０になるように光アンプ３０の利得または減衰量を制御する値を持つ制御信号を生成するが、上記前値保持信号が供給されると制御信号の値を前回の値に保持する。
これによって、変動値（Ｐａ−Ｐａ’），（Ｐｂ−Ｐｂ’）のいずれか一方が０であっても、他方が変化（０以外）した場合に、波長多重光信号の一部の波長が断または変動したことを検出でき、この場合に光アンプ３０の利得または減衰量が固定され、他の波長において信号エラーを起こすことが防止される。
【００４６】
図７は本発明の多波長光アンプ制御装置の第３実施例のブロック図を示す。同図中、図４と同一部分には同一符号を付す。図７において、光アンプ３０には波長多重された光信号が供給される。光アンプ３０は利得制御回路１０２から供給される制御信号に応じて利得を可変して波長多重された光信号を増幅して出力するか、または、波長多重された光信号を一定の利得で増幅し、減衰量を上記制御信号に応じて可変する可変減衰器を通して出力することにより、出力する波長多重された光信号のレベルを一定に保つ。
【００４７】
光分配器３４は光アンプ３０の出力する光信号を分波してゲインイコライザ（ＧＥＱ）３６ａ，３６ｂに供給する。ゲインイコライザ３６ａ，３６ｂそれぞれは、図３（Ａ），（Ｂ）に実線Ｉａ，Ｉｂで示す量子効率の波長特性を有しており、ゲインイコライザ３６ａ，３６ｂを通った波長多重光信号はホトダイオード（ＰＤ）３８ａ，３８ｂに供給され、光電変換される。
【００４８】
サンプリング回路４０ａ，４０ｂそれぞれは、ホトダイオード３８ａ，３８ｂの出力信号Ｐａ，Ｐｂをサンプリングして変動値算出回路４２ａ，４２ｂに供給し、ここで、今回のサンプリング値Ｐａ，Ｐｂと、前回のサンプリング値Ｐａ’，Ｐｂ’との変動値（Ｐａ−Ｐａ’），（Ｐｂ−Ｐｂ’）が算出される。変動値（Ｐａ−Ｐａ’）は除算回路４４に供給され、変動値（Ｐｂ−Ｐｂ’）は除算回路４４に供給される。
【００４９】
除算回路４４は供給される変動値（Ｐａ−Ｐａ’），（Ｐｂ−Ｐｂ’）の除算を行って比（Ｐａ−Ｐａ’）／（Ｐｂ−Ｐｂ’）を変動値算出回路４６に供給する。変動値算出回路４６は、今回の比の値と、前回の比の値との変動値を算出して、この比の変動値が略０であれば、全波長が一斉に変動しているため前値保持信号の出力を停止し、この比の変動値の絶対値が所定値以上であれば、波長多重光信号の一部の波長が断または変動しているため、値１の前値保持信号を出力する。この前値保持信号は保持回路１００及び利得制御回路１０２に供給される。
【００５０】
通常、保持回路１００は、サンプリング回路４０ａの出力するサンプリング値Ｐａを利得制御回路１０２に供給するが、値１の前値保持信号を供給されると、前回のサンプリング値Ｐａ’を保持して利得制御回路１０２に供給する。利得制御回路１０２はサンプリング回路４０ａのサンプリング周期で、サンプリング値が一定の目標値になるように光アンプ３０の利得または減衰量を制御する値を持つ制御信号を生成する。そして、上記値１の前値保持信号が供給されると制御信号の値を前回の値に保持する。
【００５１】
これによって、波長多重光信号の一部の波長が断または変動している場合には、光アンプ３０の利得または減衰量が固定され、他の波長において信号エラーを起こすことが防止される。このために、スペクトルアナライザを必要とせず、簡単な回路構成で実現できる。また、監視制御信号を使用しないため、ＡＬＣ制御の応答速度を遅らせる必要がなくなる。
【００５２】
図８は本発明の多波長光アンプ制御装置の第４実施例のブロック図を示す。同図中、図６、図７と同一部分には同一符号を付す。図８において、光アンプ３０には波長多重された光信号が供給される。光アンプ３０は利得制御回路３２から供給される制御信号に応じて利得を可変して波長多重された光信号を増幅して出力するか、または、波長多重された光信号を一定の利得で増幅し、減衰量を上記制御信号に応じて可変する可変減衰器を通して出力することにより、出力する波長多重された光信号のレベルを一定に保つ。
【００５３】
光分配器３４は光アンプ３０の出力する光信号を分波してゲインイコライザ（ＧＥＱ）３６ａ，３６ｂに供給する。ゲインイコライザ３６ａ，３６ｂそれぞれは、図３（Ａ），（Ｂ）に実線Ｉａ，Ｉｂで示す量子効率の波長特性を有しており、ゲインイコライザ３６ａ，３６ｂを通った波長多重光信号はホトダイオード（ＰＤ）３８ａ，３８ｂに供給され、光電変換される。
【００５４】
サンプリング回路４０ａ，４０ｂそれぞれは、ホトダイオード３８ａ，３８ｂの出力信号Ｐａ，Ｐｂをサンプリングして変動値算出回路４２ａ，４２ｂに供給し、ここで、今回のサンプリング値Ｐａ，Ｐｂと、前回のサンプリング値Ｐａ’，Ｐｂ’との変動値（Ｐａ−Ｐａ’），（Ｐｂ−Ｐｂ’）が算出される。変動値（Ｐａ−Ｐａ’）は利得制御回路３２及び除算回路４４それぞれに供給され、変動値（Ｐｂ−Ｐｂ’）は除算回路４４に供給される。
【００５５】
除算回路４４は供給される変動値（Ｐａ−Ｐａ’），（Ｐｂ−Ｐｂ’）の除算を行って比（Ｐａ−Ｐａ’）／（Ｐｂ−Ｐｂ’）を変動値算出回路４６に供給する。変動値算出回路４６は、今回の比の値と、前回の比の値との変動値を算出して、この比の変動値が略０であれば、全波長が一斉に変動しているため前値保持信号の出力を停止し、この比の変動値の絶対値が所定値以上であれば、波長多重光信号の一部の波長が断または変動しているため、値１の前値保持信号を出力する。この前値保持信号はＯＲゲート７８を通して保持回路１００及び利得制御回路１０２に供給される。
【００５６】
０以外検出回路８０は変動値算出回路４２ａの出力する変動値が０以外のとき、これを検出して値１の検出信号を生成し、０検出回路８２は変動値算出回路４２ｂの出力する変動値が０のとき、これを検出して値１の検出信号を生成する。０以外検出回路８０及び０検出回路８２の検出信号はＡＮＤゲート８４でＡＮＤ演算されてＯＲゲート８６に供給される。
【００５７】
また、０検出回路９０は変動値算出回路４２ａの出力する変動値が０のとき、これを検出して値１の検出信号を生成し、０以外検出回路９２は変動値算出回路４２ｂの出力する変動値が０以外のとき、これを検出して値１の検出信号を生成する。０検出回路９０及び０以外検出回路９２の検出信号はＡＮＤゲート９４でＡＮＤ演算されてＯＲゲート８６に供給される。
【００５８】
これによって、ＯＲゲート８６は、変動値（Ｐａ−Ｐａ’），（Ｐｂ−Ｐｂ’）のいずれか一方が０のとき、他方が変化（０以外）した場合にも、比（Ｐａ−Ｐａ’）／（Ｐｂ−Ｐｂ’）が変化したとみなして値１の前値保持信号を生成する。この前値保持信号はＯＲゲート７８を通して保持回路１００及び利得制御回路１０２に供給される。
【００５９】
通常、保持回路１００は、サンプリング回路４０ａの出力するサンプリング値Ｐａを利得制御回路１０２に供給するが、値１の前値保持信号を供給されると、前回のサンプリング値Ｐａ’を保持して利得制御回路１０２に供給する。利得制御回路１０２はサンプリング回路４０ａのサンプリング周期で、サンプリング値が一定の目標値になるように光アンプ３０の利得または減衰量を制御する値を持つ制御信号を生成する。そして、上記値１の前値保持信号が供給されると制御信号の値を前回の値に保持する。
【００６０】
これによって、変動値（Ｐａ−Ｐａ’），（Ｐｂ−Ｐｂ’）のいずれか一方が０であっても、他方が変化（０以外）した場合に、波長多重光信号の一部の波長が断または変動したことを検出でき、この場合に光アンプ３０の利得または減衰量が固定され、他の波長において信号エラーを起こすことが防止される。
ところで、ホトダイオード２４ａ，２４ｂを含めたゲインイコライザ２２ａ，２２ｂそれぞれの量子効率の波長特性ηａ，ηｂを適切に選ぶことにより、次式が成立する。
【００６１】
【数１】
0003583309.tif 000004
【００６２】
ここで、ある波長λｘの断の前後それぞれで各ホトダイオード２４ａ，２４ｂにおいて観測されるパワーＰａ，Ｐａ’，Ｐｂ，Ｐｂ’は、次のようになる。
【００６３】
【数２】
0003583309.tif 000005
【００６４】
これから、ηａ（λｘ）Ｐ≠ηｂ（λｘ）Ｐであるため、Ｐａ≠Ｐｂとなる。一方、全波長が一斉に変動し、Ｐ’になった場合、各ホトダイオード２４ａ，２４ｂにおいて観測されるパワーＰａ’，Ｐｂ’は、次のようになる。
【００６５】
【数３】
0003583309.tif 000006
【００６６】
つまり、Ｐａ’＝Ｐｂ’である。これによって、ホトダイオード２４ａ，２４ｂの出力が等しいか否かによって、全波長の変動と、ある波長の変動を検出できる。
このような手法を用いる場合、例えば、Ｐａ＝Ｐｂの合わせ込みを４波（ｉ＝４）で行い、２つのホトダイオード２４ａ，２４ｂの検出値を等しくするように設定した状態で、ある波長λｘが断になり、３つの波長になった場合を考える。３つの波長の場合はＰａ≠Ｐｂのままなので、この状態から、さらに１波が断になって２つの波長となった場合に、これを検出することはできない。しかし、３つの波長となった状態で、再度２つのホトダイオード２４ａ，２４ｂの検出値が等しくなるように係数Ｋを掛けて再調整することにより、さらに１波が断になって２つの波長となった場合に、これを検出することが可能となる。この実施例について図９を用いて説明する。
【００６７】
図９は本発明の多波長光アンプ制御装置の第５実施例のブロック図を示す。同図中、図７と同一部分には同一符号を付す。図９において、光アンプ３０には波長多重された光信号が供給される。光アンプ３０は利得制御回路１０２から供給される制御信号に応じて利得を可変して波長多重された光信号を増幅して出力するか、または、波長多重された光信号を一定の利得で増幅し、減衰量を上記制御信号に応じて可変する可変減衰器を通して出力することにより、出力する波長多重された光信号のレベルを一定に保つ。
【００６８】
光分配器３４は光アンプ３０の出力する光信号を分波してゲインイコライザ（ＧＥＱ）３６ａ，３６ｂに供給する。ゲインイコライザ３６ａ，３６ｂそれぞれは、図３（Ａ），（Ｂ）に実線Ｉａ，Ｉｂで示す量子効率の波長特性を有しており、ゲインイコライザ３６ａ，３６ｂを通った波長多重光信号はホトダイオード（ＰＤ）３８ａ，３８ｂに供給され、光電変換される。
【００６９】
サンプリング回路４０ａ，４０ｂそれぞれは、ホトダイオード３８ａ，３８ｂの出力信号Ｐａ，Ｐｂをサンプリングする。サンプリング回路４０ａの出力するサンプリング値Ｐａは保持回路１００に供給されると共に、乗算器１１０に供給されて外部からの計数設定入力の計数Ｋが乗算される。計数設定入力される計数Ｋは、２つのホトダイオード２４ａ，２４ｂの検出値が等しくなるよう、そのときの光信号の波長多重状態に応じて適宜選択された値である。
【００７０】
乗算器１１０が出力する値Ｐａ・Ｋは差分検出回路１１２に供給され、ここでサンプリング回路４０ｂの出力するサンプリング値Ｐｂとの差分Ｐａ・Ｋ−Ｐｂが検出され、この差分は変動値算出回路１１４に供給される。変動値算出回路１１４は、差分が略０であれば、全波長が一斉に変動しているため前値保持信号の出力を停止し、差分の絶対値が所定値以上であれば、波長多重光信号の一部の波長が断または変動しているため、値１の前値保持信号を出力する。この前値保持信号は保持回路１００及び利得制御回路１０２に供給される。
【００７１】
通常、保持回路１００は、サンプリング回路４０ａの出力するサンプリング値Ｐａを利得制御回路１０２に供給するが、値１の前値保持信号を供給されると、前回のサンプリング値Ｐａ’を保持して利得制御回路１０２に供給する。利得制御回路１０２はサンプリング回路４０ａのサンプリング周期で、サンプリング値が一定の目標値になるように光アンプ３０の利得または減衰量を制御する値を持つ制御信号を生成する。そして、上記値１の前値保持信号が供給されると制御信号の値を前回の値に保持する。
【００７２】
これによって、波長多重光信号の一部の波長が断または変動している場合には、光アンプ３０の利得または減衰量が固定され、他の波長において信号エラーを起こすことが防止される。このために、スペクトルアナライザを必要とせず、簡単な回路構成で実現できる。また、監視制御信号を使用しないため、ＡＬＣ制御の応答速度を遅らせる必要がなくなる。
【００７３】
次に、例えば４つの波長から３つの波長になったためにＡＬＣ制御から固定利得制御に切り換えた場合、断になった波長が復旧するまで、固定利得制御にしておく必要がある。しかし、固定利得制御を長時間持続すると、伝送路のロス変動等の影響を吸収することができない。このため、ある程度の時間が経過すると必ずＡＬＣ制御に戻す必要がある。しかし、断になった波長がいつ復旧するかは不定であるため、断状態においてそのままＡＬＣ制御に戻さなければならない。この場合、断が復旧しない状態における送信パワーを新たなＡＬＣ制御の目標値として設定し、ＡＬＣ制御に切り換える。
【００７４】
図９の構成において、波長多重光信号が４つの波長からなるとき、次式が成立する。
【００７５】
【数４】
0003583309.tif 000007
【００７６】
このとき、全波長のパワーがＰよりＰ’に変化し、かつ、波長λ１のみがＰ’＋δｐに変化したとすると、
【００７７】
【数５】
0003583309.tif 000008
【００７８】
即ち、Ｐａ−Ｐｂの変化が発生した場合には、変動値算出回路１１４が値１の前値保持信号を生成するために、ＡＬＣ制御は、［ηａ（λ１）−ηｂ（λ１）］δｐの量には応答せず、光アンプ３０の利得または減衰量が固定される。このため、［ηａ（λ１）−ηｂ（λ１）］δｐの分だけ他の波長λ２，λ３，λ４のパワー、つまり受信パワーが変化する。このパワー変化分を反映させて光アンプ３０の固定利得制御からＡＬＣ制御に切り換え、他の波長λ２，λ３，λ４のパワーを一定に制御する。但し、ηａ（λｉ）≠ηｂ（λｉ）が成立することが条件である。上記の原理を用いたのが、図１０に示す実施例である。
【００７９】
図１０は本発明の多波長光アンプ制御装置の第６実施例のブロック図を示す。同図中、検出部１２０は図７、図８、図９のいずれかの装置から光アンプ３０，光分配器３４，利得制御回路１０２を除いた部分である。この検出部１２０からは、前値保持信号とホトダイオード３８ａ出力のサンプリング値Ｐａとが利得制御回路１２２に供給される。また、光分配器１２４は光アンプ３０に供給される波長多重光信号を分波してホトダイオード（ＰＤ）１２６に供給し、ホトダイオード１２６で入力光の受信パワーが検出され、その検出値を利得制御回路１２２に供給する。
【００８０】
利得制御回路１２２は値１の前値保持信号が所定時間以上持続すると、受信パワーの検出値を新たな目標値をして設定し、その後、この新たな目標値と、サンプリング値Ｐａとを用いて光アンプ３０の利得または減衰量の制御を行う。
これまでは、全て、各波長のパワーが均一で等しく、断であるか否かだけを問題にしていたが、各波長のパワーは伝送されるにつれ、伝送路のロスの波長特性等の影響で各波長のパワーは均一ではなくなる場合がある。このような場合について説明する。
【００８１】
【数６】
0003583309.tif 000009
【００８２】
この状態で、全波長が変動すると、波長λ１だけ変動量が（Ｐ＋δＰ）／Ｐだけ大きくなる。全波長がが等しくｄだけ変動すると、波長λ１だけ変動量がｄ（１＋δＰ）／Ｐ）となるので、Ｐ’＝Ｐ＋ｄとおいて、次式が得られる。
【００８３】
【数７】
0003583309.tif 000010
【００８４】
即ち、比（Ｐａ−Ｐａ’）／（Ｐｂ−Ｐｂ’）が均一な波長入力における値より、どれだけずれているかを検出すれば、各波長のパワーは均一ではなくなったことを検出できる。
または、
【００８５】
【数８】
0003583309.tif 000011
【００８６】
となるように波長特性を設定した場合には、差分（Ｐａ−Ｐｂ）により検出すれば、各波長のパワーは均一ではなくなったことを検出できる。
上記の演算を利得制御回路３２，１０２，１２２で行って、各波長のパワーは均一ではなくなったことを検出したときは、各波長の変動と全波長の変動を区別ができないので、利得制御回路３２，１０２，１２２から警報信号を出力するように構成すればよい。
【００８７】
このようにして、ＡＬＣ制御を本来の全波長のレベル変動の補償だけに動作させるようにでき、高価なスペクトルアナライザを使用せずに実現ができる。しかし、一方で、伝送路によって生じた各波長のロスの差を補償したい場合、やはりスペクトルアナライザが必要となる。このような場合は、各波長のパワーを測定することができるような安価な手段が必要となる。
【００８８】
これは、受光感度の波長特性自体を変化させることにより１つのホトダイオードで各波長のパワーを求めることができる。図１１は、受光感度の波長特性自体を変化させ１つのホトダイオードで各波長のパワーを求める回路のブロック図を示す。同図中、モニタする波長多重光信号を可変チルト発生器１３０を通してホトダイオード１３２に供給し、その検出値を制御回路１３４に供給する。制御回路１３４は可変チルト発生器１３０のチルト量の設定を可変して波長特性を変化させると共に、下記の式に基づく演算を行って、各波長のパワーＰ１，Ｐ２…を算出する。
【００８９】
ここで、例えば４波長の場合、チルト量Ｘａ，Ｘｂ，Ｘｃ，Ｘｄとして各チルト量におけるホトダイオード１３２で観測されるパワーＰ（Ｘａ），Ｐ（Ｘｂ），Ｐ（Ｘｃ），Ｐ（Ｘｄ）は次式で表される。
Ｐ（Ｘａ）＝η（Ｘａ，λ１）Ｐ１＋η（Ｘａ，λ２）Ｐ２＋η（Ｘａ，λ３）Ｐ３＋η（Ｘａ，λ４）Ｐ４
Ｐ（Ｘｂ）＝η（Ｘｂ、λ１）Ｐ１＋η（Ｘｂ、λ２）Ｐ２＋η（Ｘｂ、λ３）Ｐ３＋η（Ｘｂ、λ４）Ｐ４
Ｐ（Ｘｃ）＝η（Ｘｃ、λ１）Ｐ１＋η（Ｘｃ、λ２）Ｐ２＋η（Ｘｃ、λ３）Ｐ３＋η（Ｘｃ、λ４）Ｐ４
Ｐ（Ｘｄ）＝η（Ｘｄ、λ１）Ｐ１＋η（Ｘｄ、λ２）Ｐ２＋η（Ｘｄ、λ３）Ｐ３＋η（Ｘｄ、λ４）Ｐ４
なお、ゲインイコライザ３６ａ，３６ｂ及びホトダイオード３８ａ，３８ｂが請求項に記載の一対の光検出手段に対応し、変動値算出回路４２ａ，４２ｂ及び除算回路４４、差分検出回路１１２及び変動値算出回路１１４が一部波長変動検出手段に対応し、変動値算出回路４６及び０以外検出回路８０，９２及び０検出回路８２，９０及びＯＲゲート７８，８６及びＡＮＤゲート９４が停止手段に対応し、利得制御回路１２２及びホトダイオード１２６が目標値変更手段に対応する。
【００９０】
【発明の効果】
上述の如く、請求項１に記載の発明は、量子効率の波長特性を異ならせ前記多波長光アンプ出力を検出する一対の光検出手段と、
前記一対の光検出手段の検出レベルに基づいて、一部の波長のみの断または変動を検出する一部波長変動検出手段と、
前記一部波長変動検出手段で一部の波長のみの断または変動が検出されたとき前記自動レベル一定制御を停止させる停止手段とを有する。
【００９１】
これによって、一部の波長が断または変動している場合に光アンプの利得または減衰量を固定して、他の波長において信号エラーを起こすことを防止でき、スペクトルアナライザを必要とせず簡単な回路構成で実現でき、ＡＬＣ制御の応答速度を遅らせる必要がない。
請求項２に記載の発明では、一部波長変動検出手段は、前記一対の光検出手段の検出レベルの変動量の比により、一部の波長のみの断または変動を検出する。
【００９２】
これにより、一部の波長のみの断または変動を検出することができる。
請求項３に記載の発明では、一部波長変動検出手段は、前記一対の光検出手段の検出レベルの変動量のうちいずれか一方が０で、他方が０でないとき一部の波長のみの断または変動とみなす。
これにより、一対の光検出手段の検出レベルの変動量のうちいずれか一方が０のとき一部の波長のみの断または変動を検出することができる。
【００９３】
請求項４に記載の発明では、自動レベル一定制御は、前記一対の光検出手段の検出レベルの変動量のうちいずれか一方を用いて行う。
これにより、自動レベル一定制御を行うことができる。
請求項５に記載の発明では、自動レベル一定制御は、前記一対の光検出手段の検出レベルのうちいずれか一方を用いて行う。
【００９４】
これにより、自動レベル一定制御を行うことができる。
請求項６に記載の発明では、一部波長変動検出手段は、前記一対の光検出手段の検出レベルの差により、一部の波長のみの断または変動を検出する。
これにより、一部の波長のみの断または変動を検出することができる。
請求項７に記載の発明は、一部波長変動検出手段で一部の波長のみの断または変動が所定期間持続して検出されたとき前記自動レベル一定制御の目標値を変更して前記自動レベル一定制御を再開する目標値変更手段を有する。
【００９５】
これにより、一部の波長のみの断または変動が所定期間持続して検出されたとき自動レベル一定制御を再開することができる。
請求項８に記載の発明では、一部波長変動検出手段は、前記一対の光検出手段の検出レベルに基づいて、各波長のパワーが均一でない状態を検出し警報を発する。
【００９６】
これにより、各波長のパワーが均一でなく自動レベル一定制御を行えないとき警報を発することができる。
請求項９に記載の発明は、量子効率の波長特性を異ならせた一対の光検出手段で前記多波長光アンプ出力を検出し、
前記一対の光検出手段の検出レベルに基づいて、一部の波長のみの断または変動を検出し、
前記一部の波長のみの断または変動が検出されたとき前記自動レベル一定制御を停止させる。
【００９７】
これによって、一部の波長が断または変動している場合に光アンプの利得または減衰量を固定して、他の波長において信号エラーを起こすことを防止でき、スペクトルアナライザを必要とせず簡単な回路構成で実現でき、ＡＬＣ制御の応答速度を遅らせる必要がない。
請求項１０に記載の発明は、前記一対の光検出手段の検出レベルの変動量の比により、一部の波長のみの断または変動を検出する。
【００９８】
これにより、一部の波長のみの断または変動を検出することができる。
請求項１１に記載の発明は、一対の光検出手段の検出レベルの変動量のうちいずれか一方が０で、他方が０でないとき一部の波長のみの断または変動とみなす。
これにより、一対の光検出手段の検出レベルの変動量のうちいずれか一方が０のとき一部の波長のみの断または変動を検出することができる。
【００９９】
請求項１２に記載の発明では、自動レベル一定制御は、前記一対の光検出手段の検出レベルの変動量のうちいずれか一方を用いて行う。
これにより、自動レベル一定制御を行うことができる。
請求項１３に記載の発明では、自動レベル一定制御は、前記一対の光検出手段の検出レベルのうちいずれか一方を用いて行う。
【０１００】
これにより、自動レベル一定制御を行うことができる。
請求項１４に記載の発明は、一対の光検出手段の検出レベルの差により、一部の波長のみの断または変動を検出する。
これにより、一部の波長のみの断または変動を検出することができる。
請求項１５に記載の発明は、一部の波長のみの断または変動が所定期間持続して検出されたとき前記自動レベル一定制御の目標値を変更して前記自動レベル一定制御を再開する。
【０１０１】
これにより、一部の波長のみの断または変動が所定期間持続して検出されたとき自動レベル一定制御を再開することができる。
請求項１６に記載の発明は、一対の光検出手段の検出レベルに基づいて、各波長のパワーが均一でない状態を検出し警報を発する。
これにより、各波長のパワーが均一でなく自動レベル一定制御を行えないとき警報を発することができる。
【図面の簡単な説明】
【図１】従来の多波長光アンプ制御装置の一例のブロック図である。
【図２】本発明の原理を説明するための図である。
【図３】ホトダイオードを含めたゲインイコライザの量子効率の波長特性を示す図である。
【図４】本発明の多波長光アンプ制御装置の第１実施例のブロック図である。
【図５】本発明の多波長光アンプ制御装置を適用した多波長光伝送システムの構成図である。
【図６】本発明の多波長光アンプ制御装置の第２実施例のブロック図である。
【図７】本発明の多波長光アンプ制御装置の第３実施例のブロック図である。
【図８】本発明の多波長光アンプ制御装置の第４実施例のブロック図である。
【図９】本発明の多波長光アンプ制御装置の第５実施例のブロック図である。
【図１０】本発明の多波長光アンプ制御装置の第６実施例のブロック図である。
【図１１】受光感度の波長特性自体を変化させ１つのホトダイオードで各波長のパワーを求める回路のブロック図である。
【符号の説明】
２０，３４  光分配器
２２ａ，２２ｂ，３６ａ，３６ｂ  ゲインイコライザ（ＧＥＱ）
２４ａ，２４ｂ，３８ａ，３８ｂ，１２６  ホトダイオード（ＰＤ）
３０  光アンプ
３２，１０２，１２２  利得制御回路
４０ａ，４０ｂ  サンプリング回路
４２ａ，４２ｂ，４６  変動値算出回路
４４  除算回路
７８，８６  ＯＲゲート
８０，９２  ０以外検出回路
８２，９０  ０検出回路
９４  ＡＮＤゲート
１１２  差分検出回路
１１４  変動値算出回路
【図１】
0003583309.tif 000012
【図２】
0003583309.tif 000013
【図３】
0003583309.tif 000014
【図４】
0003583309.tif 000015
【図５】
0003583309.tif 000016
【図６】
0003583309.tif 000017
【図７】
0003583309.tif 000018
【図８】
0003583309.tif 000019
【図９】
0003583309.tif 000020
【図１０】
0003583309.tif 000021
【図１１】
0003583309.tif 000022